(57)【要約】【課題】従来の被検体の末梢部に装着する小型の血圧測定装置のカフは、空気圧を利用して被検体を圧迫する圧力を制御していたため、空気パイプを引き回すことが必要であり、空気パイプの振動によるノイズにより血圧測定の精度に課題があった。本願発明は、被検体の末梢部に装着し、圧迫する圧力を容易に制御できる圧迫機構を備えた血圧測定装置を提供することを目的とする。【解決手段】本願発明に係る血圧測定装置は、磁石と磁性体の間隔、２の磁石の間隔又は電磁石の電流を制御することで磁石、電磁石及び磁性体の相互間で引き合う力又は反発する力を調整し、被検体を圧迫する圧力を制御することとした。従来の空気パイプによる空気圧の制御を不要とし、被検体の末梢部に装着して容易かつ正確に血圧測定をすることができる。【選択図】図１
2006102188.tif 000002
【特許請求の範囲】
【請求項１】
磁石と、
前記磁石に対向する磁性体と、
前記磁石と前記磁性体との間隔を調整できる間隔調整手段と、
を有する圧迫機構であって、
前記磁石と前記磁性体との間の磁力で引き合う力により被検体を圧迫する前記圧迫機構を備えることを特徴とする血圧測定装置。
【請求項２】
磁石と、
前記磁石に対向する他の磁石と、
前記磁石と前記他の磁石との間隔を調整できる間隔調整手段と、
を有する圧迫機構であって、
前記磁石と前記他の磁石との間の磁力で引き合う力により被検体を圧迫する前記圧迫機構を備えることを特徴とする血圧測定装置。
【請求項３】
磁石と、
前記磁石に対向する他の磁石と、
前記磁石と前記他の磁石との間隔を調整できる間隔調整手段と、
前記磁石が一端に配置されたてこと、
前記他の磁石が一端に配置された他のてこと、
前記てこの前記一端と他端との間にある支点及び前記他のてこの前記一端と他端との間にある支点を結合する支持体と、
を有する圧迫機構であって、
前記磁石と前記他の磁石との間の磁力の反発する力により前記てこの前記他端と前記他のてこの前記他端とで被検体を圧迫する前記圧迫機構を備えることを特徴とする血圧測定装置。
【請求項４】
電磁石と、
前記電磁石に対向する磁性体と、
前記電磁石を駆動する電流を制御する制御手段と、
を有する圧迫機構であって、
前記電磁石と前記磁性体との間の磁力で引き合う力により被検体を圧迫する前記圧迫機構を備えることを特徴とする血圧測定装置。
【請求項５】
電磁石と、
前記電磁石に対向する磁石と、
前記電磁石を駆動する電流を制御する制御手段と、
を有する圧迫機構であって、
前記電磁石と前記磁石との間の磁力で引き合う力により被検体を圧迫する前記圧迫機構を備えることを特徴とする血圧測定装置。
【請求項６】
電磁石と、
前記電磁石に対向する磁石と、
前記電磁石を駆動する電流を制御する制御手段と、
前記電磁石が一端に配置されたてこと、
前記磁石が一端に配置された他のてこと、
前記てこの前記一端と他端との間にある支点及び前記他のてこの前記一端と他端との間にある支点を結合する支持体と、
を有する圧迫機構であって、
前記電磁石と前記磁石との間の磁力の反発する力により前記てこの前記他端と前記他のてこの前記他端とで被検体を圧迫する前記圧迫機構を備えることを特徴とする血圧測定装置。
【請求項７】
電磁石と、
前記電磁石に対向する他の電磁石と、
前記電磁石を駆動する電流又は前記他の電磁石を駆動する電流のうち少なくとも一つを制御する制御手段と、
を有する圧迫機構であって、
前記電磁石と前記他の電磁石との間の磁力で引き合うことにより被検体を圧迫する前記圧迫機構を備えることを特徴とする血圧測定装置。
【請求項８】
電磁石と、
前記電磁石に対向する他の電磁石と、
前記電磁石を駆動する電流又は前記他の電磁石を駆動する電流のうち少なくとも一つを制御する制御手段と、
前記電磁石が一端に配置されたてこと、
前記他の電磁石が一端に配置された他のてこと、
前記てこの前記一端と他端との間にある支点及び前記他のてこの前記一端と他端との間にある支点を結合する支持体と、
を有する圧迫機構であって、
前記電磁石と前記他の電磁石との間の磁力の反発する力により前記てこの前記他端と前記他のてこの前記他端とで被検体を圧迫する前記圧迫機構を備えることを特徴とする血圧測定装置。
【請求項９】
被検体との接触面に緩衝材をさらに備えることを特徴する請求項１から８に記載のいずれかの血圧測定装置。
【請求項１０】
前記圧迫機構は被検体としての耳介の一部を常時圧迫することを特徴とする請求項１から９に記載のいずれかの血圧測定装置。
【請求項１１】
前記圧迫機構が被検体を圧迫する圧力を測定する圧力センサをさらに備えることを特徴とする請求項１から１０に記載するいずれかの血圧測定装置。
【発明の詳細な説明】
【技術分野】
【０００１】
本願発明は、被検体の一部を圧迫する圧迫機構を利用する血圧測定装置に関する。
【背景技術】
【０００２】
従来の血圧測定装置は、長方形で平面状のカフを被測定部分に巻きつけるように装着し、カフに空気を供給して被検体内の血流が停止する圧力で圧迫した後に、カフが被検体を圧迫する圧力を減少させる過程における被検体内の脈動脈波の変化を計測し、カフによる被検体の押圧力と脈動波形の変化から血圧を測定している。
【０００３】
最近、より小型な装置で簡便に脈波を検出し、高精度に血圧を測定する方法として、装置を耳介などの被検体の末梢部に装着し、装置内に備えた発光素子により被検体へ照射した照射光が被検体の血管あるいは血管内の血球により散乱された散乱光を、装置内に備えた受光素子により受光し、受光した散乱光から脈波を検出する方法が開発されている（例えば、特許文献１参照。）。これは、脈拍、脈波、心電、体温、動脈血酸素飽和度、及び血圧などを生体内へ放射した赤外光、可視光の散乱光の受光量から計算できるとしている。光による血管の脈動波形を測定する血圧測定装置は、他の方式であるカフ振動法や容積補償法などによる血圧測定装置（例えば、非特許文献１参照。）と並んで有力な血圧の測定方法として認められている。
【０００４】
また、被検体の末梢部に装着する方法として、小型の緊急情報装置のセンサ部分を外耳道へ挿入し、データ通信部を耳輪へ架ける固定する方法がある（例えば、特許文献２参照。）。
【０００５】
なお、本願では、耳介の名称は非特許文献２に、耳介の軟骨の名称は非特許文献３による。
【特許文献１】特開平９−１２２０８３
【特許文献２】特開平１１−１２８１７４
【非特許文献１】山越  憲一、戸川  達男著、「生体センサと計測装置」、日本エム・イー学会編／ＭＥ教科書シリーズ  Ａ−１、３９頁〜５２頁
【非特許文献２】Ｓｏｂｏｔｔａ  図説人体解剖学第１巻（監訳者：岡本道雄）、ｐ．１２６、（株）医学書院、１９９６年１０月１日発行
【非特許文献３】Ｓｏｂｏｔｔａ  図説人体解剖学第１巻（監訳者：岡本道雄）、ｐ．１２７、（株）医学書院、１９９６年１０月１日発行
【発明の開示】
【発明が解決しようとする課題】
【０００６】
上記のような被検体の末梢部に装着した小型の血圧測定装置による血圧測定においては、被検体の末梢部を局所的に圧迫し、圧力を制御する必要がある。しかし、従来の被検体の末梢部に装着する小型の血圧測定装置のカフは、空気圧を利用して被検体を圧迫する圧力を制御していたため、空気パイプが必要であり、空気パイプの振動によるノイズにより血圧測定の精度に課題があった。また、空気パイプを引き回すわずらわしさがあった。
【０００７】
そこで、本願発明は、被検体の末梢部に装着し、圧迫する圧力を容易に制御できる圧迫機構を備えた血圧測定装置を提供することを目的とする。
【課題を解決するための手段】
【０００８】
上記目的を達成するために、本願第一の発明に係る血圧測定装置は、磁石と磁性体の引き合う力を利用して被検体の末梢部を圧迫し、前記磁石と前記磁性体の間隔を制御することで被検体を圧迫する圧力を制御することとした。
【０００９】
具体的には、本願第一の発明は、磁石と、前記磁石に対向する磁性体と、前記磁石と前記磁性体との間隔を調整できる間隔調整手段と、を有する圧迫機構であって、前記磁石と前記磁性体との間の磁力で引き合う力により被検体を圧迫する前記圧迫機構を備えることを特徴とする血圧測定装置である。
【００１０】
前記磁石と前記磁性体との間の磁力による引き合う力は前記磁石と前記磁性体との間の距離の２乗に反比例する。従って、前記間隔調整手段により前記磁石と前記磁性体の間隔を調整することで、被検体を圧迫する圧力である前記磁石と前記磁性体との間の磁力の引き合う力を調整することができる。また、前記磁石を小型化することで、被検体の末梢部に装着可能な小型の圧迫機構とすることができる。前記磁石と前記磁性体の引き合う力を利用することにより、本願第一の発明に係る血圧測定装置は、被検体の末梢部に装着でき、かつ被検体を圧迫する圧力を容易に制御することができる。
【００１１】
上記目的を達成するために、本願第二の発明は、磁石と、前記磁石に対向する他の磁石と、前記磁石と前記他の磁石との間隔を調整できる間隔調整手段と、を有する圧迫機構であって、前記磁石と前記他の磁石との間の磁力で引き合う力により被検体を圧迫する前記圧迫機構を備えることを特徴とする血圧測定装置である。
【００１２】
前記磁石と前記他の磁石との間の磁力による引き合う力は前記磁石と前記他の磁石との間の距離の２乗に反比例する。従って、前記間隔調整手段により前記磁石と前記他の磁石の間隔を調整することで、被検体を圧迫する圧力である前記磁石と前記他の磁石との間の磁力の引き合う力を調整することができる。また、前記磁石及び前記他の磁石を小型化することで、被検体の末梢部に装着可能な小型の圧迫機構とすることができる。前記磁石と前記他の磁石の引き合う力を利用することにより、本願第二の発明に係る血圧測定装置は、被検体の末梢部に装着でき、かつ被検体を圧迫する圧力を容易に制御することができる。
【００１３】
上記目的を達成するために、本願第三の発明は、磁石と、前記磁石に対向する他の磁石と、前記磁石と前記他の磁石との間隔を調整できる間隔調整手段と、前記磁石が一端に配置されたてこと、前記他の磁石が一端に配置された他のてこと、前記てこの前記一端と他端との間にある支点及び前記他のてこの前記一端と他端との間にある支点を結合する支持体と、を有する圧迫機構であって、前記磁石と前記他の磁石との間の磁力の反発する力により前記てこの前記他端と前記他のてこの前記他端とで被検体を圧迫する前記圧迫機構を備えることを特徴とする血圧測定装置である。
【００１４】
前記磁石と前記他の磁石との間の磁力の反発する力は前記磁石と前記他の磁石との間の距離の２乗に反比例する。従って、前記間隔調整手段により前記磁石と前記他の磁石の間隔を調整することで、前記磁石と前記他の磁石との間の磁力の反発する力を調整することができる。前記てこ及び前記他のてこの一端に印加された前記磁石と前記他の磁石との間の磁力の反発する力は、支点を挟んだ反対側にある作用点において被検体を圧迫する圧力となる。また、前記磁石を小型化することで、被検体の末梢部に装着可能な小型の圧迫機構とすることができる。前記磁石と前記他の磁石の反発する力を利用することにより、本願第三の発明に係る血圧測定装置は、被検体の末梢部に装着でき、かつ被検体を圧迫する圧力を容易に制御することができる。
【００１５】
上記目的を達成するために、本願第四の発明は、電磁石と、前記電磁石に対向する磁性体と、前記電磁石を駆動する電流を制御する制御手段と、を有する圧迫機構であって、前記電磁石と前記磁性体との間の磁力で引き合う力により被検体を圧迫する前記圧迫機構を備えることを特徴とする血圧測定装置である。
【００１６】
電磁石が作る磁場の強さは電磁石に流れる電流の大きさに比例する。従って、前記電磁石に流れる電流の大きさを調整することで、被検体を圧迫する圧力である前記電磁石と前記磁性体との間の磁力の引き合う力を調整することができる。また、前記電磁石を小型化することで、被検体の末梢部に装着可能な小型の圧迫機構とすることができる。前記電磁石と前記磁性体の引き合う力を利用することにより、本願第四の発明に係る血圧測定装置は、被検体の末梢部に装着でき、かつ被検体を圧迫する圧力を容易に制御することができる。
【００１７】
上記目的を達成するために、本願第五の発明は、電磁石と、前記電磁石に対向する磁石と、前記電磁石を駆動する電流を制御する制御手段と、を有する圧迫機構であって、前記電磁石と前記磁石との間の磁力で引き合う力により被検体を圧迫する前記圧迫機構を備えることを特徴とする血圧測定装置である。
【００１８】
電磁石が作る磁場の強さは電磁石に流れる電流の大きさに比例する。従って、前記電磁石に流れる電流の大きさを調整することで、被検体を圧迫する圧力である前記電磁石と前記磁石との間の磁力の引き合う力を調整することができる。また、前記電磁石及び前記磁石を小型化することで、被検体の末梢部に装着可能な小型の圧迫機構とすることができる。前記電磁石と前記磁石の引き合う力を利用することにより、本願第五の発明に係る血圧測定装置は、被検体の末梢部に装着でき、かつ被検体を圧迫する圧力を容易に制御することができる。
【００１９】
上記目的を達成するために、本願第六の発明は、電磁石と、前記電磁石に対向する磁石と、前記電磁石を駆動する電流を制御する制御手段と、前記電磁石が一端に配置されたてこと、前記磁石が一端に配置された他のてこと、前記てこの前記一端と他端との間にある支点及び前記他のてこの前記一端と他端との間にある支点を結合する支持体と、を有する圧迫機構であって、前記電磁石と前記磁石との間の磁力の反発する力により前記てこの前記他端と前記他のてこの前記他端とで被検体を圧迫する前記圧迫機構を備えることを特徴とする血圧測定装置である。
【００２０】
電磁石が作る磁場の強さは電磁石に流れる電流の大きさに比例する。従って、前記電磁石に流れる電流の大きさを調整することで、前記電磁石と前記磁石との間の磁力の反発する力を調整することができる。前記てこ及び前記他のてこの一端に印加された前記電磁石及び前記磁石の反発する力は、支点を挟んだ反対側にある作用点において被検体を圧迫する圧力となる。また、前記電磁石及び前記磁石を小型化することで、被検体の末梢部に装着可能な小型の圧迫機構とすることができる。前記電磁石と前記磁石の反発する力を利用することにより、本願第六の発明に係る血圧測定装置は、被検体の末梢部に装着でき、かつ被検体を圧迫する圧力を容易に制御することができる。
【００２１】
上記目的を達成するために、本願第七の発明は、電磁石と、前記電磁石に対向する他の電磁石と、前記電磁石を駆動する電流又は前記他の電磁石を駆動する電流のうち少なくとも一つを制御する制御手段と、を有する圧迫機構であって、前記電磁石と前記他の電磁石との間の磁力で引き合うことにより被検体を圧迫する前記圧迫機構を備えることを特徴とする血圧測定装置である。
【００２２】
電磁石が作る磁場の強さは電磁石に流れる電流の大きさに比例する。従って、前記電磁石に流れる電流の大きさ又は前記他の電磁石に流れる電流の大きさのうち少なくとも一つを調整することで、被検体を圧迫する圧力である前記電磁石と前記他の電磁石との間の磁力の引き合う力を調整することができる。また、前記電磁石及び前記他の電磁石を小型化することで、被検体の末梢部に装着可能な小型の圧迫機構とすることができる。前記電磁石と前記他の電磁石の引き合う力を利用することにより、本願第七の発明に係る血圧測定装置は、被検体の末梢部に装着でき、かつ被検体を圧迫する圧力を容易に制御することができる。
【００２３】
上記目的を達成するために、本願第八の発明は、電磁石と、前記電磁石に対向する他の電磁石と、前記電磁石を駆動する電流又は前記他の電磁石を駆動する電流のうち少なくとも一つを制御する制御手段と、前記電磁石が一端に配置されたてこと、前記他の電磁石が一端に配置された他のてこと、前記てこの前記一端と他端との間にある支点及び前記他のてこの前記一端と他端との間にある支点を結合する支持体と、を有する圧迫機構であって、前記電磁石と前記他の電磁石との間の磁力の反発する力により前記てこの前記他端と前記他のてこの前記他端とで被検体を圧迫する前記圧迫機構を備えることを特徴とする血圧測定装置である。
【００２４】
電磁石が作る磁場の強さは電磁石に流れる電流の大きさに比例する。従って、前記電磁石に流れる電流の大きさ又は前記他の電磁石に流れる電流の大きさのうち少なくとも一つを調整することで、前記電磁石と前記他の電磁石との間の磁力の反発する力を調整することができる。前記てこ及び前記他のてこの一端に印加された前記電磁石及び前記他の電磁石の反発する力は、支点を挟んだ反対側にある作用点において被検体を圧迫する圧力となる。また、前記電磁石及び前記他の電磁石を小型化することで、被検体の末梢部に装着可能な小型の圧迫機構とすることができる。前記電磁石と前記他の電磁石の反発する力を利用することにより、本願第八の発明に係る血圧測定装置は、被検体の末梢部に装着でき、かつ被検体を圧迫する圧力を容易に制御することができる。
【００２５】
本願第一から第八の発明における血圧測定装置の被検体との接触面に緩衝材をさらに備えてもよい。前記緩衝材を備えることで、圧迫による痛みを和らげるとともに、被検体の測定部の表面形状に関わらず均一な圧力で被検体を圧迫することができ微弱な信号を効率よく検出することができる。
【００２６】
本願第一から第八の発明における血圧測定装置において、前記圧迫機構は被検体としての耳介の一部を常時圧迫することとしてもよい。前記間隔調整手段又は前記制御手段により調整した前記磁力が引き合う力又は前記磁力が反発する力を耳介の一部を圧迫する圧力として利用することで、本願第一から第八の発明における血圧測定装置を耳介の一部に固定することができる。前記圧迫機構を耳介の一部に装着する固定手段として利用することにより、常時装着が可能となる。
【００２７】
本願第一から第八の発明における血圧測定装置において、前記圧迫機構が被検体を圧迫する圧力を測定する圧力センサをさらに備えてもよい。
【００２８】
前記圧力センサを備えることにより、前記圧迫機構が被検体を圧迫する正確な圧力を測定することができるため、前記間隔調整手段又は制御手段を調整することができ、前記圧迫機構の被検体を圧迫する圧力を制御することができる。従って、圧力センサを備えることにより、前記血圧測定装置は正確な血圧測定をすることができる。
【発明の効果】
【００２９】
本願発明に係る血圧測定装置は、前記磁石、前記電磁石及び前記磁性体の相互間で引き合う力又は反発する力を被検体を圧迫する圧力として制御することで、従来の空気パイプによる空気圧の制御を不要とし、被検体の末梢部に装着して容易かつ正確に血圧測定をすることができる。
【発明を実施するための最良の形態】
【００３０】
添付の図面を参照して本願発明の実施の形態を説明する。以下に説明する実施の形態は本願発明の構成の例であり、本願発明は、以下の実施の形態に制限されるものではない。
（実施の形態１）
【００３１】
図１は、本願第一の発明の実施形態に係るカフの一形態を示す概略図である。
血圧測定装置１０１は磁石１１ａ、磁性体１０、間隔調整手段１２、アーム１４ａ、アーム１４ｂ、制御手段１５、圧迫部１８及び脈動検出手段１９を備える。血圧測定装置１０１は緩衝材１６及び圧力センサ１７をさらに備えてもよい。
【００３２】
アーム１４ａ及びアーム１４ｂは、互いに結合された一端を支点として回転運動が可能な２本の棒である。
【００３３】
アーム１４ａ及びアーム１４ｂには間隔調整手段１２、制御手段１５、脈動検出手段１９、磁性体１０及び磁石１１ａが設置され、かつアーム１４ａ及びアーム１４ｂは被検体９０を挟みこみ、アーム１４ａ及びアーム１４ｂの先端部に設置された圧迫部１８により被検体を圧迫する。そのため、アーム１４ａ及びアーム１４ｂは血圧測定装置１０１の筐体としての機能が必要であり、アルミ、ステンレス等の金属又はプラスチックを材質として使用することが望ましい。なお、被検体９０を挟むことが可能であれば、アーム１４ａ及びアーム１４ｂを使用せず、例えば、弾性のあるＶ字型としたステンレス等の金属板又はウレタンゴム等のゴムを使用しても良い。
【００３４】
磁石１１ａはアーム１４ａに間隔調整手段１２を介して設置され、磁場を発生させる。磁性体１０はアーム１４ｂにあり、かつ磁石１１ａに対向する位置に設置される。磁石１１ａの磁場により、磁石１１ａと磁性体１０との間に引き合う力が発生する（以下、磁石１１ａと磁性体１０との間の引き合う力を「引力Ｉ」とする。）。従って、引力Ｉはアーム１４ａ及びアーム１４ｂを互いに近接する方向へ駆動する力を発生させ、圧迫部１８は被検体９０を圧迫する。磁石１１ａの種類は特に特定しないが、血圧測定装置１０１は磁性体１０との間の引き合う力で被検体を圧迫するため、一定以上の磁場を作ることができるフェライト磁石やアルニコ磁石を使用することができる。磁性体１０の素材としては、磁場が消滅すると磁化が消滅する鉄、ニッケル等の軟磁性体が好ましい。
【００３５】
間隔調整手段１２は磁石１１ａとアーム１４ａとの間に設置される。間隔調整手段１２は磁石１１ａの位置を変位させることで磁性体１０との間隔を変えることができる。磁石１１ａと磁性体１０との間隔が変化することで、引力Ｉが変化し、圧迫部１８の被検体を圧迫する圧力を変えることができる。磁石１１ａと磁性体１０との間隔を狭くすると引力Ｉは大きくなり、磁石１１ａと磁性体１０との間隔を広くすると引力Ｉは小さくなる。間隔調整手段１２は、例えば、モーター１２ａとスクリュー１２ｂによって構成してもよい。スクリュー１２ｂはモーター１２ａと接続し、モーター１２ａの動力によってスクリュー１２ｂの軸を中心に回転する。スクリュー１２ｂは回転運動をスクリュー１２ｂの軸上の往復運動へと変換するため、スクリュー１２ｂの一端に設置された磁石１１ａの位置をスクリュー１２ｂの軸上で変位させることができる。スクリュー１２ｂの軸を磁性体１０の方向に配置することで磁石１１ａと磁性体１０との間隔を調整することができる。間隔調整手段１２は、モーター１２ａとスクリュー１２ｂによる構成の他、ボイスコイル等のリニア振動アクチュエータを使用しても良い。
【００３６】
制御手段１５は、間隔調整手段１２に制御信号Ａを出力し、磁石１１ａと磁性体１０との間隔と制御する手段である。
【００３７】
脈動検出手段１９はアーム１４ａの圧迫部１８付近に設置され、被検体の測定部の血管の脈動を検出する手段である。脈動を検出する手段として、光電検出法、振動検出法又は音波検出法を利用することができる。
【００３８】
光電検出法とは、発光素子及び受光素子を設置して、発光素子から被検体に向け光を照射し、被検体内の血管の脈動で散乱された光を受光素子で受光する方法である。受光素子から出力される信号を処理することで被検体の脈拍を測定することができる。照射する光として３００ｎｍ以上１５００ｎｍ以下の波長の光であれば発光素子として、例えばＧａＰ系（赤）ＬＥＤ又はＧａＡｓ系ＬＥＤを使用することができる。さらに、照射する光として４００ｎｍ以上６５０ｎｍ以下の波長の光であれば発光素子としてＧａＰ系（緑）ＬＥＤ又はＧａＡｓＰ系ＬＥＤを使用することができる。一方、受光素子の種類は、発光素子の種類で定まる。発光素子にＧａＰ系（赤）ＬＥＤ又はＧａＡｓ系ＬＥＤを使用した場合、受光素子にはＳｉフォトトランジスタを使用することが好ましい。また、発光素子にＧａＰ系（緑）ＬＥＤ又はＧａＡｓＰ系ＬＥＤを使用した場合、受光素子にはブルーセンシティブフォトダイオードを使用することが好ましい。
【００３９】
振動検出法とは、振動計により被検体からの振動を検出し、被検体の脈拍を測定する方法である。振動計は微弱な被検体の脈動を計測するため高感度な加速度センサを有する振動計を使用することが好ましい。例えば、外力を受けるとその表面に電荷が発生する圧電効果のある水晶やセラミックスを使用した圧電効果型振動計を使用することができる。
音波検出法とは、被検体を圧迫したときに圧迫された血管内を通過しようとして発生する血液の渦の音（コロトコフ音）をマイクロフォンで検出し、被検体の脈拍を測定する方法である。
【００４０】
緩衝材１６は圧迫部１８の被検体９０と接触する部分に設置される。緩衝材１６により、被検体９０への圧迫による痛みを和らげるとともに、被検体９０の測定部の表面形状に関わらず均一な圧力で被検体９０を圧迫することができる。緩衝材１６の材質としてゴム、スポンジ等の弾性体を使用することができる。
【００４１】
圧力センサ１７は圧迫部１８が被検体９０と接触する部分に設置される。緩衝材１６を備えている場合、緩衝材１６が被検体９０と接触する部分に設置される。被検体９０と直接接触するため、血圧測定装置１０１が被検体９０を圧迫する圧力を正確に測定することができる。圧力センサ１７として、感圧導電ゴムやピエゾ抵抗型半導体圧力センサを使用することができる。
【００４２】
血圧測定装置１０１は以下のように動作する。血圧測定装置１０１を被検体９０に装着する前に、制御手段１５は引力Ｉを最も弱くするよう、すなわち、磁石１１ａと磁性体１０との間隔が最も離れるように間隔調整手段１２に制御信号Ａを出力する。アーム１４ａ及びアーム１４ｂの圧迫部１８が被検体９０を挟むように血圧測定装置１０１を装着する。血圧測定装置１０１装着後、圧迫部１８に圧力センサ１７からの圧力測定値が被検体９０の内部の血流が停止状態となる圧力の値になるまで、被検体９０を圧迫させるため、制御手段１５は磁石１１ａと磁性体１０との間隔を狭める制御信号Ａを間隔調整手段１２に出力する。磁石１１ａと磁性体１０との間隔を狭める制御信号Ａを受信した間隔調整手段１２は磁石１１ａを磁性体１０の方向の所定の位置へ移動させる。従って、引力Ｉが強くなり、圧迫部１８は被検体９０の内部の血流が停止状態になる圧力で被検体９０を圧迫する。その後、血圧測定を行う課程において、圧迫部１８の被検体９０を圧迫する圧力を一定の割合で減少させるため、制御手段１５は間隔調整手段１２に磁石１１ａと磁性体１０との間隔を広げる制御信号Ａを出力する。磁石１１ａと磁性体１０との間隔を広げる制御信号Ａを受信した間隔調整手段１２は磁石１１ａを磁性体１０から一定の速度で離すように移動させる。従って、引力Ｉは弱くなり、圧迫部１８の被検体９０を圧迫する圧力が一定の割合で減少する。被検体９０を圧迫する圧力の減少に伴い、被検体９０内部の血液が流れ始め、脈動検出手段１９は血流による脈動を検出し始める。例えば、被検体９０を圧迫する圧力の減少により脈動検出手段１９が脈動を検出し始めた時の圧力センサ１７の測定圧力を最高血圧とすることができる。また、脈動検出手段１９が検出する脈動から被検体の脈拍を測定することができる。血圧測定装置１０１が被検体９０を圧迫する圧力がさらに減少すると、血流の抵抗がなくなるため血管の脈動が弱くなる。例えば、脈動検出手段１９が血管の脈動を検出しなくなった時の圧力センサ１７の測定圧力を被検体の最低血圧とすることができる。以上のように、血圧測定装置１０１は被検体の血圧と脈拍を測定することができる。
【００４３】
また、間隔調整手段１２は、引力Ｉが一定以上の力となるように磁石１１ａと磁性体１０との間隔を制御して常時圧迫する力をアーム１４ａ及びアーム１４ｂに発生させることで、血圧測定装置１０１を被検体としての耳介の一部に常時装着させることができる。
図１の血圧測定装置１０１においては、間隔調整手段１２をアーム１４ａと磁石１１ａとの間に備えているが、アーム１４ｂと磁性体１０との間に備えてもよい。また、アーム１４ａと磁石１１ａとの間及びアーム１４ｂと磁性体１０との間の双方に間隔調整手段１２を備えても良い。
【００４４】
なお、本願第二の発明の実施形態に係る血圧測定装置１０２として、血圧測定装置１０１における磁性体１０について磁石１１ａとは別の磁石１１ｂを使用してもよい。磁石１１ａと磁石１１ｂが引き合う力により図１の構成の血圧測定装置１０１と同様の効果を得ることができる。
（実施の形態２）
【００４５】
図２は、本願第三の発明に係る血圧測定装置の一形態を示す概略図である。図２において、血圧測定装置１０１及び血圧測定装置１０２で用いた符号と同じ符号は同じ機能及び同じ動作をする。血圧測定装置１０３と血圧測定装置１０１との違いは、磁性体１０、アーム１４ａ及びアーム１４ｂを備えず、磁石１１ｂと、磁石１１ａを一端に接続するてこ１４ｃと、磁石１１ｂを一端に接続するてこ１４ｄと、てこ１４ｃとてこ１４ｄを結合する支持体１４ｅを備えたことである。
【００４６】
てこ１４ｃ及びてこ１４ｄは、支持体１４ｅと結合する支点を中心として回転運動が可能である２本の棒である。
【００４７】
てこ１４ｃ及びてこ１４ｄには間隔調整手段１２、制御手段１５、脈動検出手段１９、磁石１１ａ及び磁石１１ｂが設置され、かつてこ１４ｃ及びてこ１４ｄは被検体９０を挟みこみ、てこ１４ｃ及びてこ１４ｄの先端部に設置された圧迫部１８により被検体を圧迫する。そのため、てこ１４ｃ及びてこ１４ｄは血圧測定装置１０３の筐体としての機能が必要であり、アルミ、ステンレス等の金属又はプラスチックを材質として使用することが望ましい。
【００４８】
てこ１４ｃの一端に間隔調整手段１２を介して磁石１１ａが配置され、磁石１１ａに対向する位置のてこ１４ｄの一端に磁石１１ａと反発する力が発生するように磁石１１ｂが配置される。てこ１４ｃの磁石１１ａが配置される一端と支点を挟む位置の他端に圧迫部１８が配置され、てこ１４ｄの磁石１１ｂが配置される一端と支点を挟む位置の他端に圧迫部１８が配置される。磁石１１ａと磁石１１ｂとの間の磁力の反発する力（以下、磁石１１ａと磁石１１ｂとの間の磁力の反発する力を「斥力ＩＩ」とする。）は支持体１４ｅが結合するてこ１４ｃ及びてこ１４ｄの支点により、てこ１４ｃ及びてこ１４ｄの圧迫部１８が互いに近接する方向の力となり被検体９０を圧迫する。
【００４９】
血圧測定装置１０３は以下のように動作する。血圧測定装置１０３を被検体９０に装着する前に、制御手段１５は斥力ＩＩを最も弱くするよう、すなわち、磁石１１ａと磁石１１ｂとの間隔が最も離れるように間隔調整手段１２に制御信号Ａを出力する。てこ１４ｃ及びてこ１４ｄの圧迫部１８が被検体９０を挟むように血圧測定装置１０３を装着する。血圧測定装置１０３装着後、圧迫部１８に圧力センサ１７からの圧力測定値が被検体９０の内部の血流が停止状態となる圧力の値になるまで、被検体９０を圧迫させるため、制御手段１５は磁石１１ａと磁石１１ｂとの間隔を狭める制御信号Ａを間隔調整手段１２に出力する。磁石１１ａと磁石１１ｂとの間隔を狭める制御信号Ａを受信した間隔調整手段１２は磁石１１ａを磁石１１ｂの方向の所定の位置へ移動させる。従って、斥力ＩＩが強くなり、圧迫部１８は被検体９０の内部の血流が停止状態になる圧力で被検体９０を圧迫する。その後、血圧測定を行う課程において、圧迫部１８の被検体９０を圧迫する圧力を一定の割合で減少させるため、制御手段１５は間隔調整手段１２に磁石１１ａと磁石１１ｂとの間隔を広げる制御信号Ａを出力する。磁石１１ａと磁石１１ｂとの間隔を広げる制御信号Ａを受信した間隔調整手段１２は磁石１１ａを磁石１１ｂから一定の速度で離すように移動させる。従って、斥力ＩＩは弱くなり、圧迫部１８の被検体９０を圧迫する圧力が一定の割合で減少する。血圧測定装置１０１と同様に、被検体９０を圧迫する圧力を圧力センサ１７が検出し、かつ被検体９０を圧迫する圧力の減少に伴う脈動を脈動検出手段１９が検出することで、血圧測定装置１０３は被検体の血圧と脈拍を測定することができる。
【００５０】
また、間隔調整手段１２は、斥力ＩＩが一定以上の力となるように磁石１１ａと磁石１１ｂとの間隔を制御して常時圧迫する力をてこ１４ｃ及びてこ１４ｄに発生させることで、血圧測定装置１０３を被検体としての耳介の一部に常時装着させることができる。
【００５１】
図２の血圧測定装置１０３においては、間隔調整手段１２をてこ１４ｃと磁石１１ａとの間に備えているが、てこ１４ｄと磁石１１ｂとの間に備えてもよい。また、てこ１４ｃと磁石１１ａとの間及びてこ１４ｄと磁石１１ｂとの間の双方に間隔調整手段１２を備えても良い。
（実施の形態３）
【００５２】
図３は、本願第四の発明の実施形態に係る血圧測定装置の一形態を示す概略図である。図３において、図１で用いた符号と同じ符号は同じ機能及び同じ動作をする。血圧測定装置１０４の血圧測定装置１０１との違いは、磁石１１ａ、間隔調整手段１２及び制御手段１５を備えず、電磁石３１ａ及び電磁石３１ａを駆動する電流を制御する制御手段３５が備えられていることである。
【００５３】
電磁石３１ａは磁性体１０に対向する位置となるようにアーム１４ａに設置される。電磁石３１ａに電流Ｃ１が流れることで磁場が発生する。電磁石３１ａの磁場により、電磁石３１ａと磁性体１０との間に引き合う力が発生する（以下、電磁石３１ａと磁性体１０との間の引き合う力を「引力ＩＩＩ」とする。）。従って、引力ＩＩＩはアーム１４ａ及びアーム１４ｂを互いに近接する方向へ駆動する力を発生させ、圧迫部１８により被検体９０を圧迫する圧力となる。
【００５４】
制御手段３５は、電流Ｃ１を制御し、引力ＩＩＩを制御する手段である。電流Ｃ１を小さくすると引力ＩＩＩは小さくなり、電流Ｃ１を大きくすると引力ＩＩＩは大きくなる。また、制御する手段として、電磁石３１ａに印加する電圧を制御しても良い。
【００５５】
血圧測定装置１０４は以下のように動作する。血圧測定装置１０４を被検体９０に装着する前に、制御手段３５は引力ＩＩＩが発生しないように電流Ｃ１を遮断しておく。アーム１４ａ及びアーム１４ｂの圧迫部１８が被検体９０を挟むように血圧測定装置１０４を装着する。血圧測定装置１０４装着後、圧迫部１８に圧力センサ１７からの圧力測定値が被検体９０の内部の血流が停止状態となる圧力の値になるまで、被検体９０を圧迫させるため、制御手段３５は電磁石３１ａに所定の電流Ｃ１を出力する。従って、引力ＩＩＩが発生し、圧迫部１８は被検体９０の内部の血流が停止状態になる圧力で被検体９０を圧迫する。その後、血圧測定を行う課程において、圧迫部１８の被検体９０を圧迫する圧力を減少させるため、制御手段３５は電流Ｃ１を一定の割合で減少させる。従って、引力ＩＩＩは弱くなり、圧迫部１８の被検体９０を圧迫する圧力が一定の割合で減少する。血圧測定装置１０１と同様に、被検体９０を圧迫する圧力を圧力センサ１７が検出し、かつ被検体９０を圧迫する圧力の減少に伴う脈動を脈動検出手段１９が検出することで、血圧測定装置１０４は被検体の血圧と脈拍を測定することができる。
【００５６】
また、制御手段３５は、引力ＩＩＩが一定以上の力となるように電流Ｃ１を制御して常時圧迫する力をアーム１４ａ及びアーム１４ｂに発生させることで、血圧測定装置１０４を被検体としての耳介の一部に常時装着させることができる。
【００５７】
なお、本願第五の発明の実施形態に係る血圧測定装置１０５として、血圧測定装置１０４における磁性体１０について磁石１１ｂを使用してもよい。電磁石３１ａと磁石１１ｂが引き合う力により図３の構成の血圧測定装置１０４と同様の効果を得ることができる。
【００５８】
本願第六の発明の実施形態に係る血圧測定装置１０６として、図２で説明した血圧測定装置１０３において、制御手段１５、磁石１１ａ及び間隔調整機構１２を備えず、てこ１４ｃに制御手段３５及び磁石１１ｂに対向する位置となるように電磁石３１ａをてこ１４ｃに備えてもよい。電磁石３１ａと磁石１１ｂが反発する力は、支持体１４ｅが結合するてこ１４ｃ及びてこ１４ｄの支点により、てこ１４ｃ及びてこ１４ｄの圧迫部１８が互いに近接する方向の力となり被検体９０を圧迫する。従って、血圧測定装置１０６は図２の構成の血圧測定装置１０３と同様の効果を得ることができる。
（実施の形態４）
【００５９】
図４は、本願第７の発明の実施形態に係る血圧測定装置の一形態を示す概略図である。図４において、図１及び図３で用いた符号と同じ符号は同じ機能及び同じ動作をする。血圧測定装置１０７と血圧測定装置１０４との違いは、磁性体１０を備えず、電磁石３１ｂが備えられていることである。
【００６０】
電磁石３１ｂは電磁石３１ａに対向する位置となるようにアーム１４ｂに設置される。電磁石３１ａ及び電磁石３１ｂに電流Ｃ１及び電流Ｃ２が流れることで磁場が発生し、電流Ｃ１及び電流Ｃ２が流れる方向により電磁石３１ａと電磁石３１ｂとの間に引き合う力が発生する（以下、電磁石３１ａと電磁石３１ｂとの間の引き合う力を「引力ＩＶ」とする。）。従って、引力ＩＶはアーム１４ａ及びアーム１４ｂを互いに近接する方向へ駆動する力を発生させ、圧迫部１８により被検体９０を圧迫する圧力となる。
【００６１】
制御手段３５は、電流Ｃ１及び電流Ｃ２を制御し、引力ＩＶを制御する手段である。電流Ｃ１及び電流Ｃ２を小さくすると引力ＩＶは小さくなり、電流Ｃ１及び電流Ｃ２を大きくすると引力ＩＶは大きくなる。なお、制御する手段として、電流Ｃ１又は電流Ｃ２のいずれか一つのみを制御しても良い。また、電磁石３１ａ又は電磁石３１ｂの少なくとも一つに印加する電圧を制御しても良い。
【００６２】
血圧測定装置１０７は以下のように動作する。血圧測定装置１０７を被検体９０に装着する前に、制御手段３５は引力ＩＶが発生しないように電流Ｃ１及び電流Ｃ２を遮断しておく。アーム１４ａ及びアーム１４ｂの圧迫部１８が被検体９０を挟むように血圧測定装置１０７を装着する。血圧測定装置１０７装着後、圧迫部１８に圧力センサ１７からの圧力測定値が被検体９０の内部の血流が停止状態となる圧力の値になるまで、被検体９０を圧迫させるため、制御手段３５は電磁石３１ａ及び電磁石３１ｂに所定の電流Ｃ１及び電流Ｃ２を出力する。従って、引力ＩＶが発生し、圧迫部１８は被検体９０の内部の血流が停止状態になる圧力で被検体９０を圧迫する。その後、血圧測定を行う課程において、圧迫部１８の被検体９０を圧迫する圧力を減少させるため、制御手段３５は電流Ｃ１及び電流Ｃ２を一定の割合で減少させる。従って、引力ＩＶは弱くなり、圧迫部１８の被検体９０を圧迫する圧力が一定の割合で減少する。血圧測定装置１０１と同様に、被検体９０を圧迫する圧力を圧力センサ１７が検出し、かつ被検体９０を圧迫する圧力の減少に伴う脈動を脈動検出手段１９が検出することで、血圧測定装置１０７は被検体の血圧と脈拍を測定することができる。
【００６３】
また、制御手段３５は、引力ＩＶが一定以上の力となるように電流Ｃ１及び電流Ｃ２を制御して常時圧迫する力をアーム１４ａ及びアーム１４ｂに発生させることで、血圧測定装置１０７を被検体としての耳介の一部に常時装着させることができる。
【００６４】
さらに、本願第八の発明の実施形態に係る血圧測定装置１０８として、血圧測定装置１０６において、磁石１１ｂを備えず、電磁石３１ａに対向する位置となるように電磁石３１ｂをてこ１４ｄに備えてもよい。電磁石３１ａと電磁石３１ｂが反発する力は、支持体１４ｅが結合するてこ１４ｃ及びてこ１４ｄの支点により、てこ１４ｃ及びてこ１４ｄの圧迫部１８が互いに近接する方向の力となり被検体９０を圧迫する。従って、血圧測定装置１０８は血圧測定装置１０６と同様の効果を得ることができる。
【産業上の利用可能性】
【００６５】
本願発明の血圧測定装置は、健康保持や健康診断のための生体情報を検出する健康器具に適用することができる。
【図面の簡単な説明】
【００６６】
【図１】本願発明に係る実施形態の血圧測定装置１０１の構成を示す図である。
【図２】本願発明に係る実施形態の血圧測定装置１０３の構成を示す図である。
【図３】本願発明に係る実施形態の血圧測定装置１０４の構成を示す図である。
【図４】本願発明に係る実施形態の血圧測定装置１０７の構成を示す図である。
【符号の説明】
【００６７】
１０１、１０２、１０３、１０４、１０５、１０６、１０７、１０８  血圧測定装置
１０  磁性体
１１ａ、１１ｂ  磁石
１２  間隔調整手段
１２ａ  モーター
１２ｂ  スクリュー
１４ａ、１４ｂ  アーム
１４ｃ、１４ｄ  てこ
１４ｅ  支持体
１５  制御手段
１６  緩衝材
１７  圧力センサ
１８  圧迫部
１９  脈動検出手段
３１ａ、３１ｂ  電磁石
３５  制御手段
９０  被検体
Ａ  制御信号
Ｂ  圧力測定信号
Ｃ１、Ｃ２  電流
【図１】
2006102188.tif 000003
【図２】
2006102188.tif 000004
【図３】
2006102188.tif 000005
【図４】
2006102188.tif 000006